(57)【要約】【課題】有線通信手段を備える測定装置の測定結果の記憶、印刷などを無線通信端末から容易かつ効率的に実現することができる印刷装置を提供する。【解決手段】印刷装置は、ホスト装置に無線接続される無線通信部と、ＵＳＢにより測定装置に有線接続される有線通信部と、無線通信部を介して現在接続されているホスト装置から受信されたそのホスト装置の識別情報を記憶し、識別情報とそれぞれ対応付けられた測定データ領域であって、測定装置から有線通信部を介して受信された測定データを記憶する測定データ領域を有する記憶部と、測定データ領域に記憶されている測定データを印刷出力する印刷部と、無線通信部を介してホスト装置から受信された制御コマンドに応じて、測定データ領域のうちで、制御コマンドに含まれるホスト装置の識別情報に対応付けられている測定データ領域に記憶されている測定データに基づいて印刷部に印刷出力を指示する制御部とを有する。【選択図】図２
2018016058.tif 000002
【特許請求の範囲】
【請求項１】
ホスト装置に無線接続される無線通信部と、
ＵＳＢにより測定装置に有線接続される有線通信部と、
前記無線通信部を介して現在接続されている１つまたは複数のホスト装置から受信された当該ホスト装置の識別情報を記憶し、前記識別情報とそれぞれ対応付けられた１つまたは複数の測定データ領域であって、前記測定装置から前記有線通信部を介して受信された測定データを記憶する測定データ領域を有する記憶部と、
前記測定データ領域に記憶されている測定データを印刷出力する印刷部と、
前記無線通信部を介して前記ホスト装置から受信された制御コマンドに応じて、前記１つまたは複数の測定データ領域のうちで、前記制御コマンドに含まれる前記ホスト装置の識別情報に対応付けられている測定データ領域に記憶されている測定データに基づいて前記印刷部に印刷出力を指示する制御部と、
を有することを特徴とする印刷装置。
【請求項２】
前記制御部は、前記有線通信部を介して測定データを受信したときに、前記無線通信部が前記ホスト装置に接続中である場合に限り、当該測定データを、前記１つまたは複数の測定データ領域のうちで当該接続中のホスト装置の識別情報に対応付けられている測定データ領域に記憶させる、請求項１に記載の印刷装置。
【請求項３】
前記記憶部は、前記有線通信部を介して現在接続されている１つまたは複数の測定装置のそれぞれについて、当該測定装置の識別情報と当該測定装置の種別とを対応付けて記憶し、
前記制御部は、前記測定データ領域に記憶されている測定データの印刷情報であって、当該測定データに含まれる測定値と、当該測定データに含まれる前記測定装置の識別情報をもとに前記記憶部を参照して得られる前記測定装置の種別とを含む印刷情報を作成し、前記印刷情報に基づいて前記印刷部に印刷出力を指示する、請求項１または２に記載の印刷装置。
【請求項４】
前記記憶部は、予め定められた期間にわたって前記測定装置により測定され前記有線通信部を介して受信された複数の測定データを前記測定データ領域に記憶し、
前記制御部は、前記測定データ領域に記憶されている過去の測定データをグラフ表示した第１のグラフ画像のデータを作成して前記記憶部に記憶させ、前記有線通信部を介して新たに受信された測定データをグラフ表示した第２のグラフ画像のデータを作成し、前記第１のグラフ画像のデータと前記第２のグラフ画像のデータとを組み合わせて第３のグラフ画像のデータを作成し、前記第３のグラフ画像のデータに基づいて前記印刷部に印刷出力を指示する、請求項１〜３のいずれか一項に記載の印刷装置。
【発明の詳細な説明】
【技術分野】
【０００１】
本発明は、印刷装置に関する。
【背景技術】
【０００２】
特許文献１には、複数のデバイスを低コストで簡単にネットワークに接続することができ、当該デバイスをネットワーク上の端末で容易に共有することができるネットワーク装置が記載されている。このネットワーク装置は、ＣＰＵと、無線ＬＡＮカードと、カードスロットと、ＬＡＮインタフェースと、ＵＳＢホストコントローラと、２つのＵＳＢポートとを備え、アドホックモード、インフラストラクチャモード、有線プリントサーバモードおよび無線ＬＡＮアクセスポイントモードなどによる各種ネットワークシステムにおいて、プリンタやハードディスクなどの各種デバイスとＵＳＢにより接続し、当該接続された各種デバイスをネットワークシステム上の複数のクライアントなどで共有可能に設定する。
【先行技術文献】
【特許文献】
【０００３】
【特許文献１】特開２００４−０７８３５９号公報
【発明の概要】
【発明が解決しようとする課題】
【０００４】
通信インタフェース経由で他の装置に接続し、接続先の装置との間でデータ通信をすることができる各種の測定装置が知られている。一般に、無線通信手段を備える測定装置は有線通信手段のみを備える測定装置よりも高コストであるため、こうした測定装置の中には、ＵＳＢ（Universal Serial Bus）などの有線通信のみが可能であるものが多い。近年では、タブレット端末やスマートフォンなどの無線通信端末が広く普及しているため、こうした無線通信端末をホスト装置として、各種の測定装置による測定結果の記憶、印刷などを制御できるようにすることが望ましい。
【０００５】
しかしながら、タブレット端末、スマートフォンなどの無線通信端末は、無線ＬＡＮ、Ｂｌｕｅｔｏｏｔｈ（登録商標）などの無線通信以外の拡張インタフェースに乏しいことが多い。このため、例えばＵＳＢなどの有線通信インタフェース経由でこうした無線通信端末に複数の測定装置を同時に接続することは困難であることが多い。
【０００６】
また、ＵＳＢハブなどを介して無線通信端末に測定装置を接続できたとしても、無線通信端末のＯＳが汎用デバイスドライバをサポートしておらず、そのままでは無線通信端末から測定装置を使用できないことが多い。汎用の無線通信端末から複数の測定装置に直接アクセスできるようにするためには、各測定装置に固有のコマンド体系を無線通信端末側で全てサポートする必要が有り、無線通信端末のアプリケーションの開発が煩雑になる。
【０００７】
また、複数の測定装置を直接ホスト装置に無線接続すると、無線通信のチャンネル数を過大に消費したり、同一のチャンネルを複数の測定装置で兼用することによって通信速度が低下したり、接続が途切れてデータが損失したりする問題もある。また、ＵＳＢホスト機能を備えるネットワーク装置がホスト装置と測定装置の無線通信を中継し、ホスト装置がデバイスドライバなどを用いて測定装置を直接制御した場合には、例えば測定装置の測定結果を印刷装置で印刷する際に、測定データを無線通信経由で一旦ホスト装置に送信してから印刷装置に送信する必要がある。この場合、測定データが大量であると、無線通信で送受信されるデータ量も多大になってしまう。
【０００８】
そこで、本発明は、有線通信手段を備える測定装置の測定結果の記憶、印刷などを無線通信端末から容易かつ効率的に実現することができる印刷装置を提供することを目的とする。
【課題を解決するための手段】
【０００９】
ホスト装置に無線接続される無線通信部と、ＵＳＢにより測定装置に有線接続される有線通信部と、無線通信部を介して現在接続されている１つまたは複数のホスト装置から受信されたそのホスト装置の識別情報を記憶し、識別情報とそれぞれ対応付けられた１つまたは複数の測定データ領域であって、測定装置から有線通信部を介して受信された測定データを記憶する測定データ領域を有する記憶部と、測定データ領域に記憶されている測定データを印刷出力する印刷部と、無線通信部を介してホスト装置から受信された制御コマンドに応じて、１つまたは複数の測定データ領域のうちで、制御コマンドに含まれるホスト装置の識別情報に対応付けられている測定データ領域に記憶されている測定データに基づいて印刷部に印刷出力を指示する制御部とを有することを特徴とする印刷装置が提供される。
【００１０】
上記の印刷装置では、制御部は、有線通信部を介して測定データを受信したときに、無線通信部がホスト装置に接続中である場合に限り、その測定データを、１つまたは複数の測定データ領域のうちでその接続中のホスト装置の識別情報に対応付けられている測定データ領域に記憶させることが好ましい。
【００１１】
上記の印刷装置では、記憶部は、有線通信部を介して現在接続されている１つまたは複数の測定装置のそれぞれについて、その測定装置の識別情報とその測定装置の種別とを対応付けて記憶し、制御部は、測定データ領域に記憶されている測定データの印刷情報であって、その測定データに含まれる測定値と、その測定データに含まれる測定装置の識別情報をもとに記憶部を参照して得られる測定装置の種別とを含む印刷情報を作成し、印刷情報に基づいて印刷部に印刷出力を指示することが好ましい。
【００１２】
上記の印刷装置では、記憶部は、予め定められた期間にわたって測定装置により測定され有線通信部を介して受信された複数の測定データを測定データ領域に記憶し、制御部は、測定データ領域に記憶されている過去の測定データをグラフ表示した第１のグラフ画像のデータを作成して記憶部に記憶させ、有線通信部を介して新たに受信された測定データをグラフ表示した第２のグラフ画像のデータを作成し、第１のグラフ画像のデータと第２のグラフ画像のデータとを組み合わせて第３のグラフ画像のデータを作成し、第３のグラフ画像のデータに基づいて印刷部に印刷出力を指示することが好ましい。
【発明の効果】
【００１３】
上記の印刷装置によれば、有線通信手段を備える測定装置の測定結果の記憶、印刷などを無線通信端末から容易かつ効率的に実現することができる。
【図面の簡単な説明】
【００１４】
【図１】印刷システム１の概略構成図である。
【図２】印刷装置１００の概略ブロック図である。
【図３】記憶部１０２のデータ構造の例を示す図である。
【図４】記憶部１０２のデータ構造の例を示す図である。
【図５】印刷システム２の概略構成図である。
【図６】ホスト装置２００の表示画面の例を示す図である。
【図７】印刷システム２の動作例を示すシーケンス図である。
【図８】印刷システム２の別の動作例を示すシーケンス図である。
【図９】印刷システム３の概略構成図である。
【図１０】ホスト装置２００の表示画面の例を示す図である。
【図１１】印刷システム３における記憶部１０２のデータ構造の例を示す図である。
【図１２】印刷システム３の動作例を示すシーケンス図である。
【発明を実施するための形態】
【００１５】
以下、図面を参照して、印刷装置について詳細に説明する。ただし、本発明は図面または以下に記載される実施形態には限定されないことを理解されたい。
【００１６】
図１は、印刷システム１の概略構成図である。印刷システム１は、印刷装置１００、ホスト装置２００および測定装置３００を有する。図１では、ホスト装置２００が１台であり、測定装置３００が４台である場合の例を示しているが、ホスト装置２００と測定装置３００は、１台でも複数台でもよい。
【００１７】
印刷装置１００は、ＵＳＢホスト手段を有するプリンタであり、無線ＬＡＮまたはＢｌｕｅｔｏｏｔｈ（登録商標）などでホスト装置２００に無線接続され、さらに、ＵＳＢケーブル４００を介して測定装置３００に有線接続されている。印刷装置１００は、内蔵の記憶部に測定装置３００の測定データを記憶し、ホスト装置２００からの指示により、その記憶されている測定データを印刷する。印刷装置１００は、感熱式プリンタ、インクジェットプリンタ、電子写真方式プリンタ、ドットインパクトプリンタまたは昇華型プリンタなどのいずれであってもよく、その種類は特に限定されない。
【００１８】
ホスト装置２００は、汎用のタブレット端末やスマートフォンなどの無線通信端末である。ホスト装置２００は、ユーザの操作に応じて、測定装置３００の測定データ（例えば、最新の測定値または過去の複数回の測定値）を印刷装置１００に印刷させるための制御コマンド、印刷装置１００に記憶されている測定データをホスト装置２００に送信させるための制御コマンドなどを、印刷装置１００に送信する。
【００１９】
測定装置３００は、例えば、体重計、血圧計、温度計／湿度計、はかりなどの装置である。測定装置３００は、ＵＳＢにより他の装置とデータ通信が可能なものであればよく、どのような物理量を測定するものであってもよい。測定装置３００は、ユーザの操作に応じて測定を行うと、測定データ（測定値）を印刷装置１００に送信する。
【００２０】
図２は、印刷装置１００の概略ブロック図である。印刷装置１００は、無線通信部１０１、記憶部１０２、制御部１０３、印刷部１０４、計時部１０５およびＵＳＢルートハブ１０６を有する。
【００２１】
無線通信部１０１は、ホスト装置２００から印刷装置１００の制御コマンドを受信すると、その制御コマンドを制御部１０３に出力するとともに、受信した制御コマンドに対する応答をホスト装置２００に送信する。
【００２２】
記憶部１０２は、揮発性または不揮発性のメモリであり、印刷装置１００の動作に必要な情報、および測定装置３００から受信した測定データを記憶する。記憶部１０２を不揮発性のメモリで構成する場合には、所望の期間内における測定装置３００の測定データを記憶することができる。
【００２３】
図３、図４（Ａ）および図４（Ｂ）は、記憶部１０２のデータ構造の例を示す図である。記憶部１０２は、図３に示すように、領域情報リスト１３０を記憶する。また、記憶部１０２は、測定装置３００の測定データの記憶領域である測定データ領域１３１〜１３４を有する。測定データ領域１３１〜１３４は、図示しない４台のホスト装置２００にそれぞれ対応して設けられており、測定データ領域１３１〜１３４のそれぞれは、対応するホスト装置２００のユーザの測定データである測定レコード１７１を記憶する。また、図３では、記憶部１０２のうちで領域情報リスト１３０にも測定装置３００の測定データ領域にも使用されていない領域を、未使用記憶領域１３９として示している。
【００２４】
領域情報リスト１３０は、図４（Ａ）に示すように、４台のホスト装置２００にそれぞれ対応する領域情報１４１〜１４４を有する。領域情報１４１〜１４４は測定データ領域１３１〜１３４にそれぞれ対応し、領域情報１４１〜１４４のそれぞれは、開始アドレス１５１、終了アドレス１５２、ホスト情報１５３、レコードサイズ１５４、レコード個数１５５およびグラフ情報１５６を有する。なお、領域情報１４１〜１４４を、印刷装置１００に対する制御コマンドにより、ホスト装置２００を介してユーザが編集できるようにしてもよい。
【００２５】
開始アドレス１５１および終了アドレス１５２は、それらが含まれる領域情報に対応する測定データ領域の記憶部１０２における開始アドレスおよび終了アドレスである。
【００２６】
ホスト情報１５３は、図４（Ｂ）に示すように、無線ホスト識別情報１６１、累積印刷回数１６２、最終印刷日時１６３および開始日時１６４を有する。
【００２７】
無線ホスト識別情報１６１は、その無線ホスト識別情報１６１が含まれる領域情報に対応するホスト装置２００を識別するための情報であり、具体的には、例えばホスト装置２００のＭＡＣアドレスである。なお、ここで言うホスト装置２００のＭＡＣアドレスとは、既知のＬＡＮカードなどのネットワーク機器のハードウェアに一意に割り当てられるＭＡＣ（Media Access Control）アドレスを示してもよいし、既知のＢｌｕｅｔｏｏｔｈ（登録商標）機器の識別に用いられるＭＡＣアドレスと同一構造のＢＤアドレスを示してもよい。累積印刷回数１６２は、ある基準時点から起算した、同一のホスト装置２００からの指示による印刷回数の値である。最終印刷日時１６３は、対応するホスト装置２００からの指示により最後に印刷装置１００で印刷を行った日時を示す情報である。開始日時１６４は、対応するホスト装置２００からの指示により測定または測定の保留を開始した日時を示す情報である。
【００２８】
レコードサイズ１５４は、測定装置３００での１回の測定データに対応する測定レコード１７１の記憶情報量を示すバイト数である。レコード個数１５５は、対応する測定データ領域に既に記憶されている測定レコード１７１の個数を示す値である。グラフ情報１５６は、対応する測定データ領域に記憶されている予め定められた期間内の測定レコード１７１を用いて記憶制御部１１３により作成された、測定結果の推移を示すグラフ画像のデータである。なお、グラフ情報１５６は、グラフを使用しない場合には省略可能である。
【００２９】
図３に示した例では、ホスト装置２００ごとに測定データ領域１３１〜１３４および領域情報１４１〜１４４が設けられている。すなわち、記憶部１０２は、ユーザごとに、そのユーザのホスト装置２００を示す無線ホスト識別情報１６１と、そのユーザの測定レコード１７１とを関連付けて記憶する。これにより、ユーザＡのホスト装置２００用の測定データ領域と、ユーザＢのホスト装置２００用の測定データ領域とが別々に確保される。複数の測定装置３００が印刷装置１００に接続される場合には、各ホスト装置２００用の測定データ領域を複数個に分割し、それぞれを各測定装置３００のＵＳＢディスクリプタ情報と対応させることで、記憶部１０２は、測定装置３００ごとの測定データ領域を有してもよい。
【００３０】
制御部１０３は、ＣＰＵ、ＲＡＭ、ＲＯＭなどを含む制御回路として構成され、以下で説明する印刷装置１００の動作を実行する。制御部１０３は、機能ブロックとして、コマンド管理部１１１、ＵＳＢホスト制御部１１２、記憶制御部１１３および印刷制御部１１４を有する。これらの機能ブロックは、ＲＯＭに予め記録されているプログラムに従ってＣＰＵが動作することにより実現される。
【００３１】
コマンド管理部１１１は、無線通信部１０１から取得した制御コマンドが測定レコードの印刷指示または送信指示である場合には、記憶管理コマンドを記憶制御部１１３に出力する。また、コマンド管理部１１１は、無線通信部１０１から取得した制御コマンドが測定レコードの印刷指示である場合には、印刷部１０４に印刷を実行させるための印刷制御コマンドを印刷制御部１１４に出力する。
【００３２】
ＵＳＢホスト制御部１１２は、測定装置３００から印刷装置１００へのデータ転送を制御する。このデータ転送方式は、例えば、既知のＵＳＢインタラプト転送モードである。
【００３３】
記憶制御部１１３は、測定装置３００からＵＳＢハブ５００、ＵＳＢルートハブ１０６およびＵＳＢホスト制御部１１２を介して取得した測定データを、予め定められたフォーマットの測定レコード１７１に変換する。また、記憶制御部１１３は、記憶部１０２内の領域情報リスト１３０を参照して、取得した測定データを、現在接続中のホスト装置２００に対応する測定データ領域（以下、測定データ領域１３１とする）に記憶する。「現在接続中のホスト装置２００に対応する測定データ領域」とは、より正確には、無線ホスト識別情報１６１が現在接続中のホスト装置２００の識別情報と一致する領域情報に対応する測定データ領域のことである。ユーザが測定を複数回行う場合には、測定のたびにこれらの処理が繰り返される。
【００３４】
また、記憶制御部１１３は、コマンド管理部１１１から記憶管理コマンドを取得すると、現在接続中のホスト装置２００に対応する測定データ領域１３１から最新の測定レコードまたは過去の複数回の測定レコードを読み出して、印刷制御部１１４に出力する。その際、記憶制御部１１３は、読み出した測定レコードに対し、必要に応じて、例えばバイナリからテキストへの変換、所定の伝票フォーマットへの変換、グラフの作成などを行って、測定レコードを印字可能なフォーマットに変換する。なお、記憶制御部１１３は、測定レコードに対するこれらの処理を、測定装置３００から測定データを取得したときに行ってもよい。
【００３５】
印刷制御部１１４は、コマンド管理部１１１から印刷制御コマンドを取得すると、記憶制御部１１３から取得した測定レコードまたは印字可能フォーマットに基づいて印刷部１０４に印刷を実行させて、印刷物１２０を出力させる。
【００３６】
印刷部１０４は、印刷制御部１１４の制御の下で用紙に画像を印刷し、印刷物１２０を印刷装置１００の外部に出力する。印刷部１０４は、感熱式プリンタの場合には、印字ヘッドで感熱紙に熱を加えて発色させ、インクジェットプリンタの場合には、印刷ヘッドからインクを噴射し、電子写真方式プリンタの場合には、感光体に付着させたトナーを用紙に転写し、ドットインパクトプリンタの場合には、印字ヘッドに並べられたピンをインクリボンに叩きつけ、昇華型プリンタの場合には、印字ヘッドでインクリボンに熱を加えて気化させたインクを用紙に転写する。
【００３７】
計時部１０５は、例えば、水晶振動子によりクロック信号を生成するクロック部と、クロック信号を分周して分周信号を生成する分周回路部と、分周信号から日時などの時刻情報を生成する時刻生成部とを有する公知の時計回路で構成される。
【００３８】
ＵＳＢルートハブ１０６は、ＵＳＢハブ５００を介して測定装置３００が接続される回路である。ＵＳＢルートハブ１０６は、ＵＳＢにより１つまたは複数の測定装置に有線接続される有線通信部の一例である。
【００３９】
印刷システム１では、下記の利点がある。
（１）測定値が無線通信路を通らないため、無線通信障害などによる測定値の消失を防ぐことができる。
（２）例えば、バイナリからテキストへの変換、所定の伝票フォーマットへの変換、グラフ画像データの作成、測定値の移動平均値の算出といった測定値に対する処理が必要な場合には、印刷装置１００が行うため、ホスト装置２００側の処理が簡略化される。
（３）測定値が印刷装置１００の記憶部１０２に記憶されているため、ユーザは任意のタイミングで何度でも測定値を再印刷することができる。
（４）無線装置ではない測定装置３００の測定データの記憶、印刷の指示を、無線通信端末であるホスト装置２００により行うことができる。
（５）測定装置３００は無線装置ではなく、１つの無線通信部１０１で複数の測定装置３００と通信可能になるため、無線ＬＡＮの無線通信のチャンネル数を節約することができ、また、競合などによる無線通信速度の低下も回避される。
（６）測定値が無線通信路を通らないため、例えば血圧値、体重値などの個人情報の無線傍受などによる流出を回避することができる。
（７）印刷装置１００の記憶部１０２が測定装置３００の測定データを記憶しているので、複数回の測定値をまとめて印刷する場合でも、無線通信路には印刷指示の制御コマンドしか送信されない。このため、大量の測定値が無線通信路を通らないため、無線通信のデータ量が削減され、無線通信のトラフィックに負荷を与えずに済む。
（８）ホスト装置２００が直接制御するのは測定装置３００ではなく印刷装置１００であるため、ホスト装置２００のアプリケーション（いわゆるアプリ）に印刷装置１００と同一のコマンド体系を用いることができ、アプリ開発が容易になる。
（９）印刷装置１００に接続されているホスト装置２００の台数に合わせて記憶部１０２内の測定データ領域を割り当てることにより、記憶部１０２内の記憶領域を効率よく使用することができる。
【００４０】
図５は、印刷システム２の概略構成図である。印刷システム２は、スーパーマーケットなどの食品売り場における生鮮食品などの量り売りコーナーで、不特定多数の顧客が各自のスマートフォンなどを用いて自ら商品を計量し、支払伝票を印刷するための食品量り売りシステムである。印刷システム２では、印刷装置１００はスーパーマーケットなどの店舗に設置されたプリンタであり、ホスト装置２００は顧客が所有するスマートフォンなどであり、測定装置３００は店舗に設置された商品計量用のはかりである。図５では、ホスト装置２００がユーザＡ〜Ｃの３台のスマートフォンであり、測定装置３００が１台である場合の例を示している。
【００４１】
印刷装置１００、ホスト装置２００および測定装置３００の構成は、印刷システム１のものと同様である。印刷装置１００は、各ユーザのホスト装置２００に無線接続されるとともに、ＵＳＢケーブル４００を介して測定装置３００に有線接続されており、測定装置３００の測定データが記載された印刷物１２０（伝票）を印刷する。ホスト装置２００には、測定装置３００の測定データの表示および印刷装置１００による測定結果の印刷などを制御するためのアプリが備えられている。測定装置３００は、商品の番号または名称などを選択するボタンなどを有し、ユーザがそのボタンを押した後に計量台に商品を置くと、その商品の重量を測定（計量）する。測定装置３００は、計量が完了すると、商品名、ｋｇ単価および重量の測定データをＵＳＢ通信で印刷装置１００に送信する。以下では、商品が野菜である場合の例を説明する。
【００４２】
図６は、ホスト装置２００の表示画面の例を示す図である。図６に示した例では、ホスト装置２００の表示部２１０に、測定装置３００による測定結果２１１、ユーザへのメッセージ２１２、開始／再開ボタン２２１、保留ボタン２２２、印刷ボタン２２３および中止ボタン２２５が表示されている。表示部２１０は、タッチパネルディスプレイであるとする。
【００４３】
画面上段の測定結果２１１には、きゅうり、なすおよびトマトの３商品について、「商品名」、「ｋｇ単価」および「重量」が表の形式で一覧表示されている。画面中段のメッセージ２１２には、計量された３商品の合計金額と、ユーザに伝票の印刷および会計を促すメッセージが表示されている。画面下段の開始／再開ボタン２２１、保留ボタン２２２、印刷ボタン２２３および中止ボタン２２５は、それぞれ、印刷装置１００との通信の開始または再開、一連の測定の保留、伝票の印刷、および印刷装置１００との通信の中止を指示する制御コマンドを印刷装置１００に対して送信するためのボタンである。
【００４４】
印刷システム２における印刷装置１００の記憶部１０２は、図３〜図４（Ｂ）に示した印刷システム１のものと同様の領域情報リスト１３０および測定データ領域１３１〜１３４を記憶する。印刷システム２における測定レコード１７１は、例えば、「商品名」、「ｋｇ単価」および「重量」をＣＳＶ形式のテキストデータで表したものである。この場合、「ｋｇ単価」は、対応する商品の１ｋｇ当たりの価格（円）を示す数値であり、「重量」は、商品の重量（ｇ）を示す数値である。
【００４５】
図７は、印刷システム２の動作例を示すシーケンス図である。ユーザがホスト装置２００上の開始／再開ボタン２２１をタップすると、ホスト装置２００と印刷装置１００との無線通信が開始される（Ｓ１，Ｓ２）。このとき、ホスト装置２００は、印刷装置１００に、ホスト装置２００のＭＡＣアドレスなどの識別情報を送信する。
【００４６】
続いて、ユーザの操作に応じて、測定装置３００は、商品（例えばきゅうり）を計量する（Ｓ３）。計量が完了すると、測定装置３００は、商品名、ｋｇ単価および重量を含む測定データを、印刷装置１００にＵＳＢ通信で送信する（Ｓ４）。
【００４７】
印刷装置１００の記憶制御部１１３は、測定装置３００から測定データを受信すると、印刷装置１００が無線通信部１０１を介してホスト装置２００に接続中であるかどうかを確認し、接続中である場合に限り、受信した測定データを記憶部１０２の測定データ領域に記憶する（Ｓ５）。接続中でない場合は、記憶制御部１１３は、記憶する必要のない測定結果を受信したと判断し、測定装置３００から受信した測定データを無視する。
【００４８】
記憶制御部１１３は、Ｓ５における測定データの記憶を以下の手順で行う。まず、記憶制御部１１３は、記憶部１０２の領域情報１４１〜１４４に記憶されている無線ホスト識別情報１６１の中に、現在接続中のホスト装置２００から受信した識別情報と一致するものがあるかどうかを確認する。
【００４９】
例えば、現在接続中のホスト装置２００の識別情報が領域情報１４１に記憶されている無線ホスト識別情報１６１と一致する場合には、記憶制御部１１３は、測定装置３００から受信した測定結果を測定レコード１７１に変換して、測定データ領域１３１に記憶させる。このとき、測定データ領域１３１に測定レコード１７１がまだ１つも記憶されていなければ、記憶制御部１１３は、測定データ領域１３１の先頭番地に新たな測定レコード１７１を記憶させ、レコード個数１５５を１に設定する。測定データ領域１３１に測定レコード１７１が既に１つ以上記憶されていれば、記憶制御部１１３は、「（測定データ領域１３１の先頭番地）＋（レコード個数１５５）×（レコードサイズ１５４）」の番地に新たな測定レコード１７１を記憶させ、レコード個数１５５に１を加算する。
【００５０】
領域情報１４１〜１４４に記憶されている無線ホスト識別情報１６１の中に、現在接続中のホスト装置２００から受信した識別情報と一致するものが存在しない場合には、記憶制御部１１３は、そのホスト装置２００に対応する新たな領域情報および測定データ領域を、領域情報リスト１３０および未使用記憶領域１３９の中にそれぞれ作成する。新たな領域情報について、記憶制御部１１３は、開始アドレス１５１に、例えば未使用記憶領域１３９の先頭番地を設定し、終了アドレス１５２に、一連の測定結果を記憶するために十分な記憶領域量分だけ開始アドレス１５１よりも大きい番地を設定する。また、記憶制御部１１３は、無線ホスト識別情報１６１に、現在接続中のホスト装置２００の識別情報を設定し、累積印刷回数１６２、最終印刷日時１６３および開始日時１６４に０を設定し、レコードサイズ１５４に例えば３２バイトを設定する。また、記憶制御部１１３は、レコード個数１５５に１を設定し、新たな測定データ領域の先頭番地に新たな測定レコード１７１を記憶させる。
【００５１】
ホスト装置２００は、測定レコード１７１の送信を指示する制御コマンドを、例えば５秒ごとなど、定期的に印刷装置１００に送信してもよい（Ｓ６）。印刷装置１００の記憶制御部１１３は、この制御コマンドを受信すると、現在接続中のホスト装置２００に対応する測定データ領域（以下、測定データ領域１３１とする）に記憶されている測定レコード１７１を読み出し、無線通信部１０１を介してその測定レコード１７１をホスト装置２００に送信する（Ｓ７）。印刷装置１００から測定レコード１７１を受信すると、ホスト装置２００は、それに従って、図６に示した表示部２１０の表示画面を更新する（Ｓ８）。これにより、ホスト装置２００には、測定結果がタイムリーに表示される。
【００５２】
ユーザがさらになすとトマトも購入する場合には、測定装置３００と印刷装置１００は、なすについてＳ３〜Ｓ５と同様の処理を行い（Ｓ２１〜Ｓ２３）、トマトについてもＳ３〜Ｓ５と同様の処理を行う（Ｓ２４〜Ｓ２６）。ユーザが購入するすべての商品の計量を終えた後に、ホスト装置２００と印刷装置１００がＳ６〜Ｓ８と同様の処理を行う（Ｓ２７〜Ｓ２９）と、すべての測定結果がホスト装置２００の表示部２１０に表示される。
【００５３】
ユーザがホスト装置２００上の印刷ボタン２２３をタップすると、ホスト装置２００は、伝票の印刷を指示する制御コマンドを印刷装置１００に送信する（Ｓ３０）。印刷装置１００の記憶制御部１１３は、この制御コマンドを受信すると、現在接続中のホスト装置２００に対応する測定データ領域１３１に記憶されている測定レコード１７１を読み出し、それを伝票印刷情報として印刷制御部１１４に出力する。印刷制御部１１４は、取得した伝票印刷情報に基づいて、印刷部１０４に伝票の印刷を実行させる（Ｓ３１）。また、記憶制御部１１３は、コマンド管理部１１１と無線通信部１０１を経由して、印刷が完了した旨の応答をホスト装置２００に送信する（Ｓ３２）。ホスト装置２００は、Ｓ３２の応答を受信すると、印刷装置１００との無線通信を終了する。
【００５４】
記憶制御部１１３は、Ｓ３１の印刷の完了後に、現在接続中のホスト装置２００に対応する測定データ領域１３１に記憶されている測定レコード１７１を削除してもよい（Ｓ３３）。こうすれば、記憶部１０２には、領域情報リスト１３０のみが恒常的に記憶され、不要になった測定データが蓄積されないようにすることができる。以上で、図７に示す印刷システム２の動作は終了する。
【００５５】
なお、Ｓ３０の後で伝票印刷情報を印刷制御部１１４に出力するときに、記憶制御部１１３は、領域情報１４１の最終印刷日時１６３に現在の日時を設定してもよい。現在の日時は、印刷装置１００の計時部１０５から取得してもよいし、ホスト装置２００内の計時部から得られる現在の日時の情報を制御コマンドに埋め込んでおき、その制御コマンドから取得してもよい。その上で、記憶制御部１１３は、例えば１日ごとなど、定期的に領域情報１４１〜１４４の最終印刷日時１６３と現在の日時とを比較し、最終印刷日時１６３が示す日時から予め定められた期間が経過している場合には、対応する領域情報を領域情報リスト１３０から削除してもよい。これにより、領域情報リスト１３０についても、不要な領域情報が蓄積されないようにすることができる。
【００５６】
また、Ｓ３０の後で伝票印刷情報を印刷制御部１１４に出力するときに、記憶制御部１１３は、領域情報１４１の累積印刷回数１６２に１を加算してもよい。その上で、記憶制御部１１３は、例えば、累積印刷回数１６２の値が１０回に到達した場合には、支払金額を１０％減額する旨の割引クーポンや、景品を受け渡す旨のクーポンを印刷するためのクーポン印刷情報を作成して、伝票印刷情報とともに印刷制御部１１４に出力してもよい。この場合、印刷制御部１１４は、取得したクーポン印刷情報に基づいて、Ｓ３１において、印刷部１０４にクーポンの印刷も実行させる。
【００５７】
図８は、印刷システム２の別の動作例を示すシーケンス図である。図８では、例えば、計量中のユーザのホスト装置２００に電話が掛かって来るなどして、ユーザが一時的に計量を保留し、一定時間の経過後に計量を再開する場合の動作例を示す。Ｓ１〜Ｓ８の処理は、図７に示したものと同じである。
【００５８】
Ｓ８の後で、ユーザがホスト装置２００上の保留ボタン２２２をタップすると、ホスト装置２００は、保留開始日時の設定を指示する制御コマンドを印刷装置１００に送信する（Ｓ１０）。印刷装置１００の記憶制御部１１３は、この制御コマンドを受信すると、無線ホスト識別情報１６１が現在接続中のホスト装置２００の識別情報と一致する領域情報１４１の開始日時１６４に、保留開始日時として現在の日時を設定する（Ｓ１１）。現在の日時は、印刷装置１００の計時部１０５から取得してもよいし、制御コマンドから取得してもよい。記憶制御部１１３は、コマンド管理部１１１と無線通信部１０１を経由して、日時の設定が完了した旨の応答をホスト装置２００に送信する（Ｓ１２）。ホスト装置２００は、Ｓ１２の応答を受信すると、印刷装置１００との無線通信を終了する。
【００５９】
記憶制御部１１３は、例えば１分ごとなど、定期的に領域情報１４１〜１４４の開始日時１６４と現在の日時とを比較してもよい。この場合、記憶制御部１１３は、開始日時１６４が示す日時から、例えば１時間などの予め定められた保留期間が経過している場合には、保留中のホスト装置２００に対応する領域情報と測定データ領域を削除してもよい。すなわち、保留期限切れのユーザについての領域情報と測定データ領域を削除することで、ユーザが一旦保留した後で計量を再開しなかった場合に、不要な領域情報と測定データ領域が蓄積されないようにすることができる。
【００６０】
予め定められた保留期間が経過する前に、一旦計量を保留したユーザがホスト装置２００上の開始／再開ボタン２２１をタップすると、Ｓ１およびＳ２と同様に、ホスト装置２００と印刷装置１００の間の無線通信が再開される（Ｓ１４，Ｓ１５）。その後のＳ２１〜Ｓ３３の処理は、図７に示したものと同じである。以上で、図８に示す印刷システム２の動作は終了する。
【００６１】
記憶制御部１１３は、無線通信の再開後に測定装置３００から初めて測定データを受信したときに、現在接続中のホスト装置２００に対応する測定データ領域１３１に記憶されているすべての測定レコード１７１を、ホスト装置２００に送信してもよい。これにより、ホスト装置２００は、保留前の測定結果を記憶していなくても、その測定結果をホスト装置２００上に再表示することができる。
【００６２】
図９は、印刷システム３の概略構成図である。印刷システム３は、高齢者デイケア施設、リハビリ施設、フィットネス施設などの不特定多数のユーザが定期的に訪れる共用施設で、ユーザが自主的に自身の血圧や体重などの測定を行うための健康セルフチェックシステムである。印刷システム３では、印刷装置１００は共用施設に設置されたプリンタであり、ホスト装置２００は顧客が所有するスマートフォンなどであり、測定装置３００Ａ，３００Ｂは、それぞれ、共用施設に設置された血圧計および体重計である。図９では、ホスト装置２００がユーザＡ〜Ｃの３台のスマートフォンであり、測定装置３００が２台である場合の例を示している。
【００６３】
印刷装置１００、ホスト装置２００および測定装置３００Ａ，３００Ｂの構成は、印刷システム１のものと同様である。印刷装置１００は、各ユーザのホスト装置２００に無線接続されるとともに、ＵＳＢケーブル４００を介して測定装置３００Ａ，３００Ｂに有線接続されており、測定装置３００Ａ，３００Ｂの測定データが記載された印刷物１２０（結果票）を印刷する。ホスト装置２００には、測定装置３００Ａ，３００Ｂの測定データの表示および印刷装置１００による測定結果の印刷などを制御するためのアプリが備えられている。
【００６４】
血圧計である測定装置３００Ａは、測定ボタンを有し、ユーザが例えば上腕にカフを巻いた後に測定ボタンを押下すると、ユーザの血圧を測定する。測定装置３００Ａは、血圧測定が完了すると、最高血圧と最低血圧の測定データをＵＳＢ通信で印刷装置１００に送信する。体重計である測定装置３００Ｂは、測定ボタンを有し、ユーザが測定ボタンを押すとゼロ荷重点補正を行い、その後にユーザが上に乗ったことを検知するとユーザの体重を測定する。測定装置３００Ｂは、体重測定が完了すると、体重値の測定データをＵＳＢ通信で印刷装置１００に送信する。なお、測定装置３００Ｂとしては、基礎代謝および体脂肪率などを併せて測定可能な体組成計を用いてもよい。
【００６５】
図１０は、ホスト装置２００の表示画面の例を示す図である。図１０に示した例では、ホスト装置２００の表示部２１０に、測定装置３００Ａ，３００Ｂによる測定結果２１１、測定結果のグラフ２１３、開始／再開ボタン２２１、保留ボタン２２２、印刷ボタン２２３、グラフ表示ボタン２２４および中止ボタン２２５が表示されている。
【００６６】
画面上段の測定結果２１１には、血圧計と体重計の測定データである「最高血圧」、「最低血圧」および「体重」の値が表の形式で一覧表示されている。画面中段のグラフ２１３には、過去の１か月における最高血圧、最低血圧および体重の測定値の推移を示すグラフが表示されている。なお、ユーザは、過去の１か月間にわたり、測定装置３００Ａ，３００Ｂで毎日血圧と体重を測定したとする。画面下段の開始／再開ボタン２２１、保留ボタン２２２、印刷ボタン２２３および中止ボタン２２５は、図６に示したものと同じである。グラフ表示ボタン２２４は、ホスト装置２００の表示部２１０にグラフ２１３を表示するためのボタンである。
【００６７】
図１１は、印刷システム３における記憶部１０２のデータ構造の例を示す図である。印刷システム３における印刷装置１００の記憶部１０２は、測定装置テーブル１８０をさらに有する点が印刷システム１，２の記憶部１０２とは異なるが、それ以外の点では印刷システム１，２の記憶部１０２と同様の構成を有する。なお、図１１では、未使用記憶領域１３９の図示を省略している。
【００６８】
測定装置テーブル１８０には、印刷装置１００にＵＳＢ接続されている測定装置３００のそれぞれ（すなわち、測定装置３００Ａと測定装置３００Ｂ）についての測定装置レコード１８１が記憶される。測定装置レコード１８１は、例えば、「測定装置識別情報」および「測定装置種別」を示す文字列で構成される。「測定装置識別情報」は、例えば、測定装置３００を印刷装置１００にＵＳＢ接続することにより取得される既知のＵＳＢディスクリプタ情報に含まれる識別情報であり、具体的には、ＵＳＢデバイスＩＤとＵＳＢプロダクトＩＤのペアである。「測定装置種別」は、血圧計および体重計といった測定装置の種別を示す情報である。
【００６９】
印刷システム３における測定データ領域１３１〜１３４に記憶される測定レコード１７２は、例えば、「測定日時」、「測定装置識別情報」、「測定値１」および「測定値２」をＣＳＶ形式のテキストデータで表したものである。「測定値１」および「測定値２」には、測定装置が血圧計である場合には、最高血圧値および最低血圧値がそれぞれ記憶され、測定装置が体重計である場合には、体重値、および不使用を示す「Ｎｏｎｅ」がそれぞれ記憶される。測定レコード１７２が測定装置識別情報と測定値を有することにより、記憶制御部１１３は、どの測定レコード１７２がどの測定装置３００に対応するのかを判断することができる。
【００７０】
なお、印刷システム３の記憶制御部１１３は、印刷装置１００がホスト装置２００に無線接続していないときに、測定データ領域１３１〜１３４のそれぞれについて、その測定データ領域に記憶されている例えば過去３０日分の測定レコード１７２を用いてグラフ画像（第１のグラフ画像）を予め作成し、そのデータをグラフ情報１５６として記憶部１０２に記憶させる。
【００７１】
図１２は、印刷システム３の動作例を示すシーケンス図である。ユーザがホスト装置２００上の開始／再開ボタン２２１をタップすると、ホスト装置２００と印刷装置１００との無線通信が開始される（Ｓ１０１，Ｓ１０２）。このとき、ホスト装置２００は、印刷装置１００に、ホスト装置２００のＭＡＣアドレスなどの識別情報を送信する。
【００７２】
また、このとき、ホスト装置２００は、測定開始日時の設定を指示する制御コマンドを印刷装置１００に送信してもよい（Ｓ１０３）。この場合、印刷装置１００の記憶制御部１１３は、制御コマンドを受信すると、無線ホスト識別情報１６１が現在接続中のホスト装置２００の識別情報と一致する領域情報１４１の開始日時１６４に、測定開始日時として現在の日時を設定する。現在の日時は、印刷装置１００の計時部１０５から取得してもよいし、制御コマンドから取得してもよい。記憶制御部１１３は、コマンド管理部１１１と無線通信部１０１を経由して、日時の設定が完了した旨の応答をホスト装置２００に送信する（Ｓ１０４）。
【００７３】
続いて、ユーザの操作に応じて、測定装置３００Ａは、ユーザの血圧を測定する（Ｓ１０５）。測定が完了すると、測定装置３００Ａは、最高血圧と最低血圧の測定データを印刷装置１００にＵＳＢ通信で送信する（Ｓ１０６）。
【００７４】
印刷装置１００の記憶制御部１１３は、測定装置３００から測定データを受信すると、印刷装置１００が無線通信部１０１を介してホスト装置２００に接続中であるかどうかを確認し、接続中である場合に限り、受信した測定データを記憶部１０２の測定データ領域１３１に記憶する（Ｓ１０７）。接続中でない場合は、記憶制御部１１３は、記憶する必要のない測定結果を受信したと判断し、測定装置３００から受信した測定データを無視する。Ｓ１０７における測定データの記憶手順は、図７を用いて説明した印刷システム２の場合と同じである。
【００７５】
ただし、記憶制御部１１３は、測定装置３００から測定データを受信した際に、同じ日に同じ測定装置３００から測定データを既に受信しているかどうかを判定してもよい。その際、記憶制御部１１３は、現在接続中のホスト装置２００に対応する測定データ領域１３１に記憶されている測定レコード１７２のうちで、最新のものから現在接続中の測定装置３００の台数と同じ個数の測定レコード１７２を対象に、「測定レコード１７２内の測定日時」と「そのホスト装置２００に対応する領域情報１４１の開始日時１６４」の日にち、および「測定レコード１７２内の測定装置識別情報」と「送信元の測定装置３００の測定装置識別情報」を比較する。そして、それらが両方とも一致する測定レコード１７２がある場合に限り、記憶制御部１１３は、受信した新たな測定レコード１７２で、上記の比較により抽出された測定レコード１７２を更新（すなわち、上書き保存）してもよい。
【００７６】
これにより、同じ測定装置３００で１日に複数回の測定が行われた場合でも、１日の測定の中で最新の測定値だけが記憶部１０２に記憶されるため、記憶される測定レコード１７２の個数の増大を抑制することができる。同じ測定装置３００で１日に複数回の測定が行われたときに記憶部１０２内で測定レコード１７２を上書き保存すれば、ホスト装置２００は、印刷装置１００に接続されている測定装置３００の台数分だけ測定レコード１７２を受信するだけで最新の測定結果を取得することができる。こうすれば、無線送信されるデータ量が少なくなるため、非常に効率がよい。
【００７７】
ホスト装置２００は、測定レコード１７２の送信を指示する制御コマンドを、例えば５秒ごとなど、定期的に印刷装置１００に送信してもよい（Ｓ１０８）。印刷装置１００の記憶制御部１１３は、この制御コマンドを受信すると、現在接続中のホスト装置２００に対応する測定データ領域（以下、測定データ領域１３１とする）に記憶されている測定レコード１７２を読み出し、無線通信部１０１を介してその測定レコード１７２をホスト装置２００に送信する（Ｓ１０９）。印刷装置１００から測定レコード１７２を受信すると、ホスト装置２００は、それに従って、図１０に示した表示部２１０の表示画面を更新する（Ｓ１１０）。これにより、ホスト装置２００には、測定結果がタイムリーに表示される。
【００７８】
その後、ユーザが体重も測定する場合には、測定装置３００Ｂと印刷装置１００は、Ｓ１０５〜Ｓ１０７と同様の処理を行い（Ｓ１１１〜Ｓ１１３）、ホスト装置２００と印刷装置１００は、Ｓ１０８〜Ｓ１１０と同様の処理を行う（Ｓ１１４〜Ｓ１１６）。これにより、すべての測定結果がホスト装置２００の表示部２１０に表示される。
【００７９】
ユーザがホスト装置２００上の印刷ボタン２２３をタップすると、ホスト装置２００は、結果票の印刷を指示する制御コマンドを印刷装置１００に送信する（Ｓ１１７）。印刷装置１００の記憶制御部１１３は、この制御コマンドを受信すると、現在接続中のホスト装置２００に対応する測定データ領域１３１に記憶されている当日の測定レコード１７２を読み出す。さらに、記憶制御部１１３は、測定レコード１７２内の測定装置識別情報をもとに、測定装置テーブル１８０を参照することで、その測定装置識別情報に対応する測定装置種別を取得し、その測定装置種別と測定レコード１７２内の測定値とを、結果票印刷情報として印刷制御部１１４に出力する。
【００８０】
記憶制御部１１３は、当日の測定結果と併せて例えば過去１か月間などの予め定められた期間における測定結果の推移を示すグラフ画像を表示するためのデータを、結果票印刷情報に含めてもよい。その際、例えばグラフが棒グラフの場合には、記憶制御部１１３は、グラフ情報１５６として記憶されている過去３０日分のグラフ画像（第１のグラフ画像）のデータを読み出し、当日の測定レコード１７２を用いて当日分のグラフ画像（第２のグラフ画像）を作成し、２つのグラフ画像を組み合わせて、出力用のグラフ画像（第３のグラフ画像）のデータを作成してもよい。
【００８１】
印刷制御部１１４は、取得した結果票印刷情報に基づいて、印刷部１０４に結果票の印刷を実行させる（Ｓ１１８）。また、記憶制御部１１３は、コマンド管理部１１１と無線通信部１０１を経由して、印刷が完了した旨の応答をホスト装置２００に送信する（Ｓ１１９）。その際、グラフ情報１５６に記憶されているグラフ画像のデータを、印刷装置１００からホスト装置２００に送信してもよい。ホスト装置２００は、Ｓ１１９の応答を受信すると、印刷装置１００との無線通信を終了する。
【００８２】
記憶制御部１１３は、作成したグラフ画像のデータを、無線ホスト識別情報１６１が現在接続中のホスト装置２００の識別情報と一致する領域情報１４１のグラフ情報１５６として記憶させ、これによりグラフ情報１５６を更新する（Ｓ１２０）。以上で、図１２に示す印刷システム３の動作は終了する。
【００８３】
なお、印刷システム３でも、印刷システム２と同様に、記憶制御部１１３は、累積印刷回数１６２の値に応じてクーポン印刷情報を作成してもよいし、最終印刷日時１６３が示す日時から予め定められた期間が経過しているホスト装置２００について、対応する領域情報を領域情報リスト１３０から削除してもよい。
【００８４】
印刷システム２，３では、下記の利点がある。
（１）印刷装置１００と測定装置３００を有する店舗・施設は、ホスト装置２００を設置する必要がなく、ホスト装置２００の導入・管理コストを削減することができる。
（２）ホスト装置２００上のアプリを更新することなく、印刷物１２０のデザインなどを印刷装置１００の設定により変更することができる。
（３）あるユーザが測定を保留している期間中は、別のユーザが別のホスト装置２００で測定を行うことができる。
（４）記憶部１０２が無線ホスト識別情報１６１と測定レコード１７１とを関連付けて記憶しているため、ホスト装置２００にユーザの氏名・番号などの個人情報を入力しなくても、ホスト装置２００ごと（ユーザごと）に測定値を区別して記憶することができる。
（５）印刷装置１００が測定データを受信したときに、印刷装置１００がホスト装置２００と無線接続している場合に限り、その測定データを記憶部１０２に記憶することで、いたずらなどにより不必要に測定値を記憶することが防止される。
（６）同一のホスト装置２００からの累積印刷回数１６２を記憶部１０２に記憶することで、累積印刷回数に応じてユーザに割引クーポンを発行するなどのサービスを容易に実現することができる。
（７）印刷装置１００は過去の測定レコード１７２についてのグラフ画像のデータを記憶しており、グラフ画像を作成する際は、当日の測定レコード１７２分のグラフのみを新たに作成すればよい。このため、ホスト装置２００が印刷を指示したときにグラフ画像を生成して印刷する場合と比べて、グラフ画像を作成するために必要な情報量が少なく、処理時間も短くなるため、より高速にグラフを印刷することができる。
【符号の説明】
【００８５】
１，２，３    印刷システム
１００    印刷装置
１０１    無線通信部
１０２    記憶部
１０３    制御部
１０４    印刷部
１０５    計時部
１０６    ＵＳＢルートハブ
１１１    コマンド管理部
１１２    ＵＳＢホスト制御部
１１３    記憶制御部
１１４    印刷制御部
２００    ホスト装置
３００    測定装置
４００    ＵＳＢケーブル
５００    ＵＳＢハブ
【図１】
2018016058.tif 000003
【図２】
2018016058.tif 000004
【図３】
2018016058.tif 000005
【図４】
2018016058.tif 000006
【図５】
2018016058.tif 000007
【図６】
2018016058.tif 000008
【図７】
2018016058.tif 000009
【図８】
2018016058.tif 000010
【図９】
2018016058.tif 000011
【図１０】
2018016058.tif 000012
【図１１】
2018016058.tif 000013
【図１２】
2018016058.tif 000014